(57)【要約】【課題】火災検出装置の管理性を向上させることが可能となる、管理システムを提供することを目的とする。【解決手段】管理システム１は、監視領域の火災を検出する複数の火災検出装置１０と、複数の火災検出装置１０の各々と通信可能に接続された制御装置５０と、を備えた管理システムであって、制御装置５０は、火災検出装置１０の汚損度を検出する検出部と、記録タイミングが到来した場合に、検出部にて検出された汚損度を汚損度履歴情報として火災検出装置識別情報毎に当該制御装置５０の記憶部に記録する記録制御部と、第１表示タイミングが到来した場合に、記憶部に記録された汚損度履歴情報を当該制御装置５０の表示部に表示させる表示制御部と、を備えた。【選択図】図１
2019174965.tif 000002
【特許請求の範囲】
【請求項１】
監視領域の火災を検出する複数の火災検出装置と、前記複数の火災検出装置の各々と通信可能に接続された制御装置と、を備えた管理システムであって、
前記複数の火災検出装置の各々又は前記制御装置は、
前記火災検出装置の汚損度を検出する検出手段を備え、
前記制御装置は、
前記汚損度を記録する記録タイミングが到来した場合に、前記検出手段にて検出された前記汚損度を汚損度履歴情報として前記火災検出装置の識別情報毎に当該制御装置の記憶手段に記録する記録制御手段と、
前記汚損度履歴情報を表示する第１表示タイミングが到来した場合に、前記記憶手段に記録された前記汚損度履歴情報を当該制御装置の表示手段に表示させる表示制御手段と、を備えた、
管理システム。
【請求項２】
前記汚損度履歴情報の表示パターンを指定する表示指定手段を備え、
前記表示制御手段は、前記表示指定手段にて指定された前記表示パターンで、前記記憶手段に記録された前記汚損度履歴情報を前記表示手段に表示させる、
請求項１の管理システム。
【請求項３】
前記表示指定手段にて指定される前記表示パターンは、
前記記憶手段に記録された前記汚損度履歴情報を、前記汚損度の記録順、前記汚損度の高い順若しくは低い順、前記汚損度の変化量のうち直近の変化量が大きい順若しくは低い順、又は、前記火災検出装置の識別情報の文字順に並べて表示する第１表示パターン、
あるいは、前記記憶手段に記録された前記汚損度履歴情報のうち、所定方法で選択された前記汚損度履歴情報のみ、又は閾値以上若しくは閾値未満の汚損度に対応する前記汚損度履歴情報のみを表示する第２表示パターンを含む、
請求項２の管理システム。
【請求項４】
前記記憶手段に記録された前記汚損度履歴情報に基づいて、所定方法で特定された前記火災検出装置の前記汚損度が閾値以上になる汚損タイミングを推定する推定手段を備え、
前記表示制御手段は、前記汚損タイミングを表示する第２表示タイミングが到来した場合に、前記推定手段にて推定された前記汚損タイミングと、当該汚損タイミングに対応する前記火災検出装置の識別情報を相互に関連付けて前記表示手段に表示させる、
請求項１から３のいずれか一項に記載の管理システム。
【請求項５】
前記記憶手段に記録された前記汚損度履歴情報に基づいて、前記複数の火災検出装置の各々の前記汚損度がゼロ値になった回数であるゼロ回数を特定する特定手段を備え、
前記表示制御手段は、前記ゼロ回数を表示する第３表示タイミングが到来した場合に、前記特定手段にて特定された前記ゼロ回数と、当該ゼロ回数に対応する前記火災検出装置の識別情報とを相互に関連付けて前記表示手段に表示させる、
請求項１から４のいずれか一項に記載の管理システム。
【請求項６】
前記記憶手段に記録された前記汚損度履歴情報に基づいて、前記複数の前記火災検出装置のいずれかに異常が発生している可能性があるか否かを判定する判定手段を備え、
前記表示制御手段は、前記判定手段にて前記異常が発生している可能性があると判定された場合に、その旨を報知するための情報を前記表示手段に表示させる、
請求項１から５のいずれか一項に記載の管理システム。
【請求項７】
前記制御装置は、前記複数の火災検出装置からの出力に基づいて防災処理を行う防災受信機である、
請求項１から６のいずれか一項に記載の管理システム。
【発明の詳細な説明】
【技術分野】
【０００１】
本発明は、管理システムに関する。
【背景技術】
【０００２】
従来、トンネル内に設置された火災検出システムであって複数の火災検知器及び受信機を備えた火災検出システムを対象として、複数の火災検知器の汚れの度合い（以下、「汚損度」と称する）を検出するための技術が提案されている。この技術においては、例えば、各火災検知器は、透光性窓と、透光性窓の汚損度を検出する汚損度検出部であって、光を照射する発光部と、光源から入射される光を透光性窓を介して受光する受光部とを有する汚損度検出部とを備えている。そして、複数の火災検知器（具体的には、透光性窓）の汚損度を検出する場合には、まず、各火災検知器において、受光部によって発光部から照射された光が透光性窓を介して受光されると、上記受光した光の受光量に基づいて減光率が算出されて、当該算出された減光率を示す情報が受信機に向けて送られる。次いで、受信機において、複数の火災検知器から上記情報（すなわち、減光率を示す情報）が受信されると、当該情報を記憶部に記憶すると共に、上記情報の減光率に基づいて、正常な監視ができない旨の警報を出力し又は異常処理を行う（例えば、特許文献１参照）。
【先行技術文献】
【特許文献】
【０００３】
【特許文献１】特開２０１３−２４６５５２号公報
【発明の概要】
【発明が解決しようとする課題】
【０００４】
しかしながら、上記従来の技術においては、上述したように、受信機においては、減光率を示す情報を記憶部に記憶すると共に、上記警報を出力し又は異常処理を行うものに過ぎなかったので、各火災検知器の汚れが進行した経緯をユーザが簡易に把握することが難しいことから、火災検知器如き火災検出装置の管理性の観点からは改善の余地があった。
【０００５】
本発明は上記問題に鑑みてなされたもので、火災検出装置の管理性を向上させることが可能となる、管理システムを提供することを目的とする。
【課題を解決するための手段】
【０００６】
上述した課題を解決し、目的を達成するために、請求項１に記載の管理システムは、監視領域の火災を検出する複数の火災検出装置と、前記複数の火災検出装置の各々と通信可能に接続された制御装置と、を備えた管理システムであって、前記複数の火災検出装置の各々又は前記制御装置は、前記火災検出装置の汚損度を検出する検出手段を備え、前記制御装置は、前記汚損度を記録する記録タイミングが到来した場合に、前記検出手段にて検出された前記汚損度を汚損度履歴情報として前記火災検出装置の識別情報毎に当該制御装置の記憶手段に記録する記録制御手段と、前記汚損度履歴情報を表示する第１表示タイミングが到来した場合に、前記記憶手段に記録された前記汚損度履歴情報を当該制御装置の表示手段に表示させる表示制御手段と、を備えた。
【０００７】
請求項２に記載の管理システムは、請求項１に記載の管理システムにおいて、前記汚損度履歴情報の表示パターンを指定する表示指定手段を備え、前記表示制御手段は、前記表示指定手段にて指定された前記表示パターンで、前記記憶手段に記録された前記汚損度履歴情報を前記表示手段に表示させる。
【０００８】
請求項３に記載の管理システムは、請求項２に記載の管理システムにおいて、前記表示指定手段にて指定される前記表示パターンは、前記記憶手段に記録された前記汚損度履歴情報を、前記汚損度の記録順、前記汚損度の高い順若しくは低い順、前記汚損度の変化量のうち直近の変化量が大きい順若しくは低い順、又は、前記火災検出装置の識別情報の文字順に並べて表示する第１表示パターン、あるいは、前記記憶手段に記録された前記汚損度履歴情報のうち、所定方法で選択された前記汚損度履歴情報のみ、又は閾値以上若しくは閾値未満の汚損度に対応する前記汚損度履歴情報のみを表示する第２表示パターンを含む。
【０００９】
請求項４に記載の管理システムは、請求項１から３のいずれか一項に記載の管理システムにおいて、前記記憶手段に記録された前記汚損度履歴情報に基づいて、所定方法で特定された前記火災検出装置の前記汚損度が閾値以上になる汚損タイミングを推定する推定手段を備え、前記表示制御手段は、前記汚損タイミングを表示する第２表示タイミングが到来した場合に、前記推定手段にて推定された前記汚損タイミングと、当該汚損タイミングに対応する前記火災検出装置の識別情報を相互に関連付けて前記表示手段に表示させる。
【００１０】
請求項５に記載の管理システムは、請求項１から４のいずれか一項に記載の管理システムにおいて、前記記憶手段に記録された前記汚損度履歴情報に基づいて、前記複数の火災検出装置の各々の汚損度がゼロ値になった回数であるゼロ回数を特定する特定手段を備え、前記表示制御手段は、前記ゼロ回数を表示する第３表示タイミングが到来した場合に、前記特定手段にて特定された前記ゼロ回数と、当該ゼロ回数に対応する前記火災検出装置の識別情報とを相互に関連付けて前記表示手段に表示させる。
【００１１】
請求項６に記載の管理システムは、請求項１から５のいずれか一項に記載の管理システムにおいて、前記記憶手段に記録された前記汚損度履歴情報に基づいて、前記複数の前記火災検出装置のいずれかに異常が発生している可能性があるか否かを判定する判定手段を備え、前記表示制御手段は、前記判定手段にて前記異常が発生している可能性があると判定された場合に、その旨を報知するための情報を前記表示手段に表示させる。
【００１２】
請求項７に記載の管理システムは、請求項１から６のいずれか一項に記載の管理システムにおいて、前記制御装置は、前記複数の火災検出装置からの出力に基づいて防災処理を行う防災受信機である。
【発明の効果】
【００１３】
請求項１に記載の管理システムによれば、制御装置が、記録タイミングが到来した場合に、検出手段にて検出された汚損度を汚損度履歴情報として火災検出装置の識別情報毎に当該制御装置の記憶手段に記録する記録制御手段と、第１表示タイミングが到来した場合に、記憶手段に記録された汚損度履歴情報を当該制御装置の表示手段に表示させる表示制御手段と、を備えたので、従来技術（現状の減光率を示す情報のみを表示する技術）に比べて、汚損度履歴情報を提示できる。よって、火災検出装置の汚損が進行した経緯をユーザが簡易に把握でき、火災検出装置の管理性を向上させることが可能となる。
【００１４】
請求項２に記載の管理システムによれば、表示制御手段が、表示指定手段にて指定された表示パターンで、記憶手段に記録された汚損度履歴情報を表示手段に表示させるので、ユーザのニーズに応じた汚損度履歴情報の表示を行うことができ、火災検出装置の汚損が進行した経緯をユーザが把握しやすくなる。
【００１５】
請求項３に記載の管理システムによれば、表示指定手段にて指定される表示パターンが、記憶手段に記録された汚損度履歴情報を、汚損度の記録順、汚損度の高い順若しくは低い順、汚損度の変化量のうち直近の変化量が大きい順若しくは低い順、又は、火災検出装置の識別情報の文字順に並べて表示する第１表示パターン、あるいは、記憶手段に記録された汚損度履歴情報のうち、所定方法で選択された汚損度履歴情報のみ、又は閾値以上若しくは閾値未満の汚損度に対応する汚損度履歴情報のみを表示する第２表示パターンを含むので、ユーザのニーズに応じた汚損度履歴情報の表示を一層行うことができ、火災検出装置の汚損が進行した経緯をユーザが一層把握しやすくなる。
【００１６】
請求項４に記載の管理システムによれば、表示制御手段が、第２表示タイミングが到来した場合に、推定手段にて推定された汚損タイミングと、当該汚損タイミングに対応する火災検出装置の識別情報を相互に関連付けて表示手段に表示させるので、特定の火災検出装置の汚損タイミングを提示でき、例えば、特定の火災検出装置の汚損度が閾値以上になる前に当該火災検出装置に対してユーザが清掃に関する措置等を講じることが可能になる。
【００１７】
請求項５に記載の管理システムによれば、表示制御手段が、第３表示タイミングが到来した場合に、特定手段にて特定されたゼロ回数と、当該ゼロ回数に対応する火災検出装置の識別情報とを相互に関連付けて表示手段に表示させるので、各火災検出装置のゼロ回数を提示でき、例えばゼロ回数が比較的多い火災検出装置に対してユーザが所定の措置（例えば、火災検出装置の交換サイクルを短くすること等）を講じることが可能になる。
【００１８】
請求項６に記載の管理システムによれば、表示制御手段が、判定手段にて複数の火災検出装置のいずれかに異常が発生している可能性があると判定された場合に、その旨を報知するための情報を表示手段に表示させるので、複数の火災検出装置のいずれかに異常が発生している可能性がある旨を提示でき、例えば、異常が発生している可能性がある火災検出装置に対してユーザが所定の措置（例えば、火災検出装置の確認等）を講じることが可能になる。
【００１９】
請求項７に記載の管理システムによれば、制御装置が、複数の火災検出装置からの出力に基づいて防災処理を行う防災受信機であるので、制御装置及び防災受信機の両方を設ける必要がなくなることから、管理システムの設置コストを低減できる。
【図面の簡単な説明】
【００２０】
【図１】実施の形態に係る管理システムを概念的に示す図である。
【図２】火災検出装置の電気的構成を示したブロック図である。
【図３】制御装置の電気的構成を示したブロック図である。
【図４】履歴ＤＢの構成例を示す図である。
【図５】実施の形態に係る制御処理のフローチャートである。
【図６】汚損度検出処理のフローチャートである。
【図７】表示処理のフローチャートである。
【図８】記録処理のフローチャートである。
【発明を実施するための形態】
【００２１】
以下に、本発明に係る管理システムの実施の形態を図面に基づいて詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、監視領域の火災を検出する複数の火災検出装置と、複数の火災検出装置の各々と通信可能に接続された制御装置と、を備えた管理システムに関するものである。
【００２３】
ここで、「火災検出装置」は、実施の形態では、監視領域の火災を光学的に検出して報知する装置であり、例えば、光学的な火災感知器や火災警報器等を含む概念である。また、「監視領域」とは、監視の対象となる領域であって、例えば、構造物の内部の領域、構造物の外部の領域等を含む概念である。また、「構造物」とは、その具体的な構造や種類は任意であるが、例えば、戸建て住宅、集合住宅（一例として、マンション等）、オフィスビル、公共施設、及び商業施設などの建築構造物や、トンネルなどの土木構造物等を含む概念である。また、「報知する」とは、例えば、所定情報を制御装置等に向けて出力すること、所定情報を出力手段（表示手段又は音声出力手段）を介して表示又は音声出力すること等を含む概念である。また、「制御装置」は、複数の火災検出装置に関する制御を行うための装置であり、例えば、複数の火災検出装置からの出力に基づいて防災処理を行う防災受信機や、複数の火災検出装置から各種情報を収集する管理サーバ等を含む概念である。以下、実施の形態では、「火災検出装置」が「光学的な火災感知器」であり、「監視領域」が「トンネルの内部の領域」であり、「制御装置」が「防災受信機」である場合について説明する。
【００２４】
〔ＩＩ〕実施の形態の具体的内容
次に、実施の形態の具体的内容について説明する。
【００２５】
（構成）
まず、実施の形態に係る管理システムの構成について説明する。図１は、実施の形態に係る管理システムを概念的に示す図である。以下の説明では、図１のＸ方向を管理システムの左右方向（＋Ｘ方向を管理システムの左方向、−Ｘ方向を管理システムの右方向）、図１のＹ方向を管理システムの上下方向（＋Ｙ方向を管理システムの上方向、−Ｙ方向を管理システムの下方向）、Ｘ方向及びＹ方向に直交する方向を管理システムの前後方向と称する。
【００２６】
管理システム１は、火災検出装置１０の管理を行うためのシステムであり、図１に示すように、複数の火災検出装置１０及び制御装置５０を備えている。
【００２７】
ここで、管理システム１の構成要素の設置位置については任意であるが、実施の形態では、複数の火災検出装置１０は、構造物２（トンネル）の内部に設置されており、例えば、構造物２にいる人が触れにくい位置に設置されている。また、制御装置５０は、構造物２の外部（又は内部）に設置されており、例えば、構造物２の管理者（ユーザ）が操作可能な位置に設置されている。また、各装置の接続形態については任意であるが、実施の形態では、図１に示すように、制御装置５０は、複数の火災検出装置１０の各々と配線３を介して電気的に接続されている。これにより、制御装置５０と、複数の火災検出装置１０の各々との相互間で通信を行うことができると共に、制御装置５０から複数の火災検出装置１０の各々に向けて電力を供給することができる。
【００２８】
（構成−火災検出装置）
次に、複数の火災検出装置１０の構成について説明する。図２は、火災検出装置１０の電気的構成を示したブロック図である。複数の火災検出装置１０は、監視領域の火災を検出する装置である。これら複数の火災検出装置１０は、構造物２の内部において、構造物２の壁部の上部（又は図示しない天井部）の位置に設けられており、具体的には、相互に間隔を隔てて構造物２の進行方向に沿って並設されている。また、複数の火災検出装置１０の各々は、図２に示すように、筐体（図示省略）、発光部２０、受光部３０、及び制御ユニット４０を備えている。
【００２９】
（構成−火災検出装置−筐体）
筐体は、火災検出装置１０の基本構造体であり、受光部３０及び制御ユニット４０を外部から保護する保護手段である。この筐体は、例えば遮光性を有する樹脂材料にて形成された中空状体であり、受光部３０及び制御ユニット４０を収容可能な大きさにて形成されており、構造物２の壁部に対して固定具等によって固定されている。
【００３０】
また、この筐体には、受光窓１１が設けられている。受光窓１１は、火災検出装置１０（具体的には、筐体）の外部からの光（後述の模擬光、後述の検出対象光等）を受光部３０に向けて入射させるための窓であり、透光性材料（例えばガラス材料等）にて形成されており、筐体の部分のうち受光部３０と対応する部分に形成されている。
【００３１】
（構成−火災検出装置−発光部）
発光部２０は、模擬光を受光窓１１を介して受光部３０へ照射する発光手段である。ここで、「模擬光」とは、火災検出装置１０（具体的には、受光窓１１）の汚損度を検出するために用いられる光であって、火災を模擬した光を意味する。この発光部２０は、例えば公知の発光素子（一例として赤外ＬＥＤ等）を用いて構成され、筐体の外部において、発光部２０からの模擬光が受光窓１１を介して受光部３０に対して入射可能な位置に設けられており、筐体に対して固定具等によって固定されている。
【００３２】
（構成−火災検出装置−受光部）
受光部３０は、火災検出装置１０の外部から模擬光又は検出対象光を受光する受光手段である。ここで、「検出対象光」とは、監視領域で発生した火災を検出するために、検出の対象となる光を意味し、例えば、赤外線光等を含む概念である。この受光部３０は、例えば公知の受光素子（一例として、赤外線受光素子等）を用いて構成されており、筐体の内部において、模擬光及び検出対象光が入射可能な位置に設けられており、筐体に対して固定具等によって固定されている。
【００３３】
（構成−火災検出装置−制御ユニット）
制御ユニット４０は、火災検出装置１０を制御するためのユニットであり、操作部、通信部、表示部、電源部、制御部、及び記憶部を備えている（いずれも図示省略）。
【００３４】
（構成−火災検出装置−制御ユニット−操作部、通信部、表示部、電源部）
操作部は、火災検出装置１０に対する操作入力を受け付ける操作手段である。通信部は、制御装置５０との間で通信する通信手段である。表示部は、制御部の制御に基づいて各種の情報を表示する出力手段であり、例えば、ＬＥＤ等を用いて構成されている。電源部は、制御装置５０から供給された電力を、火災検出装置１０の各部に供給する電源手段である。
【００３５】
（構成−火災検出装置−制御ユニット−制御部）
制御部は、火災検出装置１０を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである（なお、後述する制御装置５０の制御部５７についても同様とする）。なお、この制御部によって実行される処理の詳細については後述する。
【００３６】
（構成−火災検出装置−制御ユニット−記憶部）
記憶部は、火災検出装置１０の動作に必要なプログラム及び各種のデータを記憶する記憶手段であり、書き換え可能な公知の記録媒体を用いて構成され、例えばフラッシュメモリ等の不揮発性記録媒体を用いることができる（なお、後述する制御装置５０の記憶部５８についても同様とする）。
【００３７】
（構成−制御装置）
次に、制御装置５０の構成について説明する。図３は、制御装置５０の電気的構成を示したブロック図である。制御装置５０は、複数の火災検出装置１０から受信された信号に基づいて所定処理を行う装置である。この制御装置５０は、構造物２の外部（又は内部）において、構造物２の壁部に設けられており、図３に示すように、操作部５１、通信部５２、移報信号送信部５３、表示部５４、出力部５５、電源部５６、制御部５７、及び記憶部５８を備えている。なお、この制御装置５０は、例えば公知の防災受信機によって構成することができるので、その詳細な説明は省略する。
【００３８】
（構成−制御装置−操作部、通信部、移報信号送信部、表示部、出力部、電源部）
操作部５１は、制御装置５０に対する操作入力を受け付ける操作手段である。通信部５２は、複数の火災検出装置１０の各々との間で通信する通信手段である。移報信号送信部５３は、火災の報知を示す火災情報を含む信号（以下、「移報信号」と称する）を図示しない通報装置を介して管理システム１の外部に送信するものである。表示部５４は、制御部５７の制御に基づいて各種の情報を表示する表示手段であり、例えば液晶ディスプレイや有機ＥＬディスプレイの如きフラットパネルディスプレイ等の公知の表示手段等を用いて構成されている。出力部５５は、各種の情報を後述の外部装置に出力するための出力手段であり、例えば公知の出力端子等を用いて構成されている。電源部５６は、図示しない商用電源から供給された電力を、複数の火災検出装置１０と、制御装置５０の各部とに供給する電源手段である。
【００３９】
（構成−制御装置−制御部）
制御部５７は、制御装置５０を制御する制御手段であり、図３に示すように、機能概念的に、検出部５７ａ、記録制御部５７ｂ、表示制御部５７ｃ、表示指定部５７ｄ、記録指定部５７ｅ、推定部５７ｆ、及び特定部５７ｇを備えている。
【００４０】
検出部５７ａは、火災検出装置１０（具体的には、受光窓１１）の汚損度を検出する検出手段である。
【００４１】
記録制御部５７ｂは、後述の第１記録タイミングが到来した場合に、検出部５７ａにて検出された汚損度を後述の汚損度履歴情報として後述の火災検出装置識別情報毎に当該制御装置５０の記憶部５８に記録する記録制御手段である。
【００４２】
表示制御部５７ｃは、後述の第１表示タイミングが到来した場合に、記憶部５８に記録された汚損度履歴情報を当該制御装置５０の表示部５４に表示させる表示制御手段である。
【００４３】
表示指定部５７ｄは、後述する汚損度履歴情報の表示パターンを指定する表示指定手段である。
【００４４】
記録指定部５７ｅは、後述する汚損度履歴情報の記録パターンを指定する記録指定手段である。
【００４５】
推定部５７ｆは、記憶部５８に記録された汚損度履歴情報に基づいて、所定方法で特定された火災検出装置１０の汚損度が閾値以上になる汚損タイミングを推定する推定手段である。なお、この閾値については、例えば、ユーザによって任意に設定されたものであってもよく、又は、記憶部５８にあらかじめ記憶されたものであってもよい（なお、他の閾値についても同様とする）。
【００４６】
特定部５７ｇは、記憶部５８に記録された汚損度履歴情報に基づいて、ゼロ回数を特定する特定手段である。ここで、「ゼロ回数」とは、複数の火災検出装置１０の各々の汚損度がゼロ値になった回数を意味する。このゼロ回数は、火災検出装置１０の故障又は障害が発生する可能性を示す指標値になり得え、又は火災検出装置１０の清掃頻度を減らすことができる可能性を示す指標値にもなり得る。なお、この制御部５７によって実行される処理の詳細については後述する。
【００４７】
（構成−制御装置−記憶部）
記憶部５８は、制御装置５０の動作に必要なプログラム及び各種のデータを記憶する記憶手段である。また、この記憶部５８は、図３に示すように、履歴データベース５８ａ（以下、データベースを「ＤＢ」と称する）を備えている。
【００４８】
（構成−火災検出装置−制御ユニット−記憶部−履歴ＤＢ）
履歴ＤＢ５８ａは、汚損度履歴情報を格納する汚損度履歴情報格納手段である。ここで、「汚損度履歴情報」とは、検出部５７ａにて検出された汚損度の履歴を示す情報である。
【００４９】
図４は、履歴ＤＢ５８ａの構成例を示す図である。図４に示すように、履歴ＤＢ５８ａは、項目「Ｎｏ．」、項目「年月日」、項目「時刻」、項目「アドレス」、及び項目「汚損度」と、各項目に対応する情報とを、相互に関連付けて構成されている。ここで、項目「Ｎｏ．」に対応する情報は、後述の汚損度情報が記録された記録順を示す記録順情報であり、例えば、図４に示す記録順である「１」、「２」等が該当する。また、項目「年月日」に対応する情報は、後述の汚損度情報が記録された年月日を示す記録年月日情報であり、例えば、図４に示す年月日である「２０１７／８／８」（２０１７年８月８日を示す）等が該当する。また、項目「時刻」に対応する情報は、後述の汚損度情報が記録された時刻を示す記録時刻情報であり、例えば、図４に示す時刻である「１０：５２：０２」（１０時５２分２秒を示す）等が該当する。また、項目「アドレス」に対応する情報は、後述の汚損度情報に対応する火災検出装置１０を一意に識別するための火災検出装置識別情報であり、例えば、図４に示す火災検出装置１０のアドレスである「ＡＢＣ山ＴＮ００１右目」等が該当する。また、項目「汚損度」に対応する情報は、検出部５７ａにて検出された汚損度を示す汚損度情報であり、例えば、図４に示す汚損度である「３０％」等が該当する。
【００５０】
以上のように、制御装置５０が防災受信機であるので、制御装置５０及び防災受信機の両方を設ける必要がなくなることから、管理システム１の設置コストを低減できる。
【００５１】
（制御処理）
次に、上述したように構成される管理システム１によって実行される制御処理について説明する。図５は、実施の形態に係る制御処理のフローチャートである（以下の各処理の説明ではステップを「Ｓ」と略記する）。制御処理は、概略的には、複数の火災検出装置１０を制御するための処理である。この制御処理を実行するタイミングは任意であるが、実施の形態では、複数の火災検出装置１０及び制御装置５０の電源が投入された後に起動されるものとして説明する。
【００５２】
制御処理が起動されると、図５に示すように、ＳＡ１において制御装置５０の制御部５７は、火災検出処理を実行する。ここで、火災検出処理の実行方法については任意であるが、例えば、以下の通りに実行してもよい。すなわち、まず、制御装置５０の制御部５７は、各火災検出装置１０の発光部２０から模擬光を照射させることなく、各火災検出装置１０の受光部３０によって当該火災検出装置１０の外部から検出対象光を受光させる。そして、各火災検出装置１０において受光部３０にて受光された光の受光量に基づいて火災の有無が判定されることにより、火災が検出された旨を示す信号（以下、「火災信号」と称する）が送信された場合には、制御装置５０の制御部５７は、この火災信号を受信したタイミングで、所定の消火設備（図示省略）による消火処理を実行し、その後火災検出処理を終了する。一方で、制御装置５０の制御部５７は、各火災検出装置１０から火災信号が送信されないことで、所定時間経過しても火災信号が受信されない場合には、上記消火処理を実行することなく、火災検出処理を終了する。
【００５３】
ＳＡ２において制御装置５０の制御部５７は、汚損度を記憶部５８に記録する記録タイミング（以下、「第１記録タイミング」と称する）が到来したか否かを判定する。この第１記録タイミングが到来したか否かの判定方法については任意であるが、例えば、制御処理が起動してから所定時間が経過したか否かに基づいて判定し、後述のＳＡ８において後述の終了タイミングが到来していないと判定されてから所定時間が経過したか否かに基づいて判定し、又は操作部５１を介して所定操作が受け付けられたか否かに基づいて判定してもよい。ここで、制御処理が起動してから所定時間が経過した場合、後述の終了タイミングが到来していないと判定されてから所定時間が経過した場合、又は所定操作が受け付けられた場合には第１記録タイミングが到来したと判定し、制御処理が起動してから所定時間が経過していない場合、後述の終了タイミングが到来していないと判定されてから所定時間が経過していない場合、及び所定操作が受け付けられていない場合には第１記録タイミングが到来していないと判定する。そして、制御装置５０の制御部５７は、第１記録タイミングが到来したと判定された場合（ＳＡ２、Ｙｅｓ）には汚損度検出処理（ＳＡ３）を起動させ、第１記録タイミングが到来していないと判定された場合（ＳＡ２、Ｎｏ）にはＳＡ４に移行する。なお、汚損度検出処理の処理内容の詳細については後述する。
【００５４】
ＳＡ４において制御装置５０の制御部５７は、汚損度履歴情報を表示する表示タイミング（以下、「第１表示タイミング」と称する）が到来したか否かを判定する。この第１表示タイミングが到来したか否かの判定方法については任意であるが、例えば、操作部５１を介して所定操作が受け付けられたか否かに基づいて判定し、又はＳＡ３の処理が終了してから所定時間が経過した否かに基づいて判定してもよい。ここで、上記所定操作が受け付けられた場合、又は上記所定時間が経過した場合には第１表示タイミングが到来したと判定し、上記所定操作が受け付けられていない場合、又は上記所定時間が経過していない場合には第１表示タイミングが到来していないと判定する。そして、制御装置５０の制御部５７は、第１表示タイミングが到来したと判定された場合（ＳＡ４、Ｙｅｓ）には表示処理（ＳＡ５）を起動させ、第１表示タイミングが到来していないと判定された場合（ＳＡ４、Ｎｏ）にはＳＡ６に移行する。なお、表示処理の処理内容の詳細については後述する。
【００５５】
ＳＡ６において制御装置５０の制御部５７は、汚損度履歴情報を外部装置（図示省略）に記録する記録タイミング（以下、「第２記録タイミング」と称する）が到来したか否かを判定する。ここで、「外部装置」とは、管理システム１を構成する装置以外の他の装置又は機器を意味し、例えば、ＵＳＢメモリやＳＤカードの如き電気的記録媒体、携帯端末、管理サーバ等を含む概念である。また、この第２記録タイミングが到来したか否かの判定方法については任意であるが、例えば、外部装置と制御装置５０の出力部５５とが直接的又は間接的に接続されているか否かに基づいて判定し、外部装置と出力部５５とが接続されている場合には第２記録タイミングが到来したと判定し、上記外部装置と出力部とが接続されていない場合には第２記録タイミングが到来していないと判定する。そして、制御装置５０の制御部５７は、第２記録タイミングが到来したと判定された場合（ＳＡ６、Ｙｅｓ）には記録処理（ＳＡ７）を起動させ、第２記録タイミングが到来していないと判定された場合（ＳＡ６、Ｎｏ）にはＳＡ８に移行する。なお、記録処理の処理内容の詳細については後述する。
【００５６】
ＳＡ８において制御装置５０の制御部５７は、制御処理を終了するタイミング（以下、「終了タイミング」と称する）が到来したか否かを判定する。この終了タイミングが到来したか否かの判定方法については任意であるが、例えば、操作部５１を介して管理者による所定操作が行われたか否かに基づいて判定し、上記所定操作が行われた場合には終了タイミングが到来したと判定し、上記所定操作が行われていない場合には終了タイミングが到来していないと判定する。そして、制御装置５０の制御部５７は、終了タイミングが到来していないと判定された場合（ＳＡ８、Ｎｏ）にはＳＡ１へ移行し、ＳＡ８にて終了タイミングが到来したと判定されるまでＳＡ１からＳＡ８の処理を繰り返し行う。一方、終了タイミングが到来したと判定された場合（ＳＡ８、Ｙｅｓ）には制御処理を終了する。
【００５７】
（制御処理−汚損度検出処理）
次に、図５のＳＡ３の汚損度検出処理について説明する。図６は、汚損度検出処理のフローチャートである。汚損度検出処理は、各火災検出装置１０の汚損度を検出して記録する処理である。
【００５８】
汚損度検出処理が起動されると、図６に示すように、ＳＢ１において制御装置５０の制御部５７は、各火災検出装置１０の発光部２０から模擬光を照射させる。
【００５９】
ＳＢ２において制御装置５０の制御部５７は、各火災検出装置１０から受光信号が取得されたか否かを判定する。ここで、「受光信号」とは、火災検出装置１０の受光部３０にて受光された光の受光量を示す信号であり、実施の形態では、上記受光量を示す受光量情報、火災検出装置識別情報を含む信号として説明する。そして、制御装置５０の制御部５７は、受光信号が取得されたと判定されるまで待機し（ＳＢ２、Ｎｏ）、受光信号が取得されたと判定された場合（ＳＢ２、Ｙｅｓ）には、各火災検出装置１０の発光部２０の照射を停止させた後にＳＢ３に移行する。
【００６０】
ＳＢ３において制御装置５０の検出部５７ａは、ＳＢ２にて取得した受光信号に基づいて、各火災検出装置１０の汚損度を検出する。この汚損度を検出方法については任意であるが、例えば、受光信号に含まれる受光量情報の受光量から基準値（例えば、各火災検出装置１０が工場出荷時に測定された測定値等）を除算した値に１００を積算し、当該積算した値を検出すべき汚損度として検出してもよい。
【００６１】
ＳＢ４において制御装置５０の記録制御部５７ｂは、ＳＢ３にて検出された汚損度を汚損度履歴情報として火災検出装置識別情報毎に記憶部５８に記録する。具体的には、ＳＢ３にて検出された汚損度と示す情報と、ＳＢ２にて取得した受光信号に含まれる火災検出装置識別情報と、当該汚損度を記録する際の記録順、年月日、及び時刻を示す情報とを、記録すべき汚損度履歴情報（具体的には、汚損度情報、火災検出装置識別情報、記録順情報、記録年月日情報、及び記録時刻情報）として相互に関連付けて履歴ＤＢ５８ａに記録する。その後、制御装置５０の記録制御部５７ｂは、汚損度検出処理を終了して、図５の制御処理に戻る。
【００６２】
（制御処理−表示処理）
次いで、図５のＳＡ５の表示処理について説明する。図７は、表示処理のフローチャートである。表示処理は、履歴ＤＢ５８ａに記録された汚損度履歴情報を表示する処理である。
【００６３】
表示処理が起動されると、図７に示すように、ＳＣ１において制御装置５０の表示指定部５７ｄは、汚損度履歴情報の表示パターンの指定が受け付けられたか否かを判定する。ここで、「汚損度履歴情報の表示パターン」とは、汚損度履歴情報を表示する形式を意味する。この汚損度履歴情報の表示パターンの種別は、実施の形態では、汚損度の記録順、汚損度の高い順若しくは低い順、汚損度の変化量のうち直近の変化量（例えば、直近に検出された汚損度とそれよりも１つ前に検出された汚損度との変化量）が大きい順若しくは低い順、及び、火災検出装置識別情報の文字順に並べて表示する第１表示パターンと、記憶部５８に記録された汚損度履歴情報のうち、所定方法（例えば操作部５１による操作等）で選択された汚損度履歴情報のみ、及び閾値以上若しくは閾値未満の汚損度に対応する汚損度履歴情報のみを表示する第２表示パターンとを含むものとして説明する。
【００６４】
また、この表示パターンを指定したか否かの判定方法については任意であるが、例えば、表示部５４の画面上に表示された図示しない表示領域（以下、「表示パターン表示領域」と称する）を生成し、当該生成した表示パターン表示領域に表示された情報であって上記汚損度履歴情報の表示パターンを示す情報の中からいずれか１つが操作部５１を介して選択されたか否かに基づいて判定し、上記選択がされていない場合には表示パターンの指定が受け付けられていないと判定し、上記選択がされた場合には表示パターンの指定が受け付けられたと判定してもよい。そして、制御装置５０の表示指定部５７ｄは、表示パターンの指定が受け付けられるまで待機し（ＳＣ１、Ｎｏ）、表示パターンの指定が受け付けられたと判定された場合（ＳＣ１、Ｙｅｓ）には、当該受け付けられた表示パターンを指定した後に、ＳＣ２に移行する。
【００６５】
ＳＣ２において制御装置５０の表示制御部５７ｃは、ＳＣ１にて指定された表示パターンで、履歴ＤＢ５８ａに記録された汚損度履歴情報を表示部５４に表示させる。この汚損度履歴情報の表示方法については任意であるが、例えば、表示部５４の画面上に表示された図示しない表示領域（以下、「履歴表示領域」と称する）を生成し、当該生成した履歴表示領域に汚損度履歴情報（具体的には、記録順情報、記録年月日情報、記録時刻情報、火災検出装置識別情報、及び汚損度情報）をＳＣ１にて指定された表示パターンであり、且つ表形式で表示してもよい。一例として、ＳＣ１にて表示パターン＝汚損度の記録順に並べて表示するパターンが指定された場合には、履歴表示領域において、図４に示すような表示パターンで汚損度履歴情報が表示される。
【００６６】
このようなＳＣ１、ＳＣ２の処理により、従来技術（現状の減光率を示す情報のみを表示する技術）に比べて、汚損度履歴情報を提示できる。よって、火災検出装置１０の汚損が進行した経緯を管理者が簡易に把握でき、火災検出装置１０の管理性を向上させることが可能となる。また、表示指定部５７ｄにて指定された表示パターンで汚損度履歴情報を表示できるので、管理者のニーズに応じた汚損度履歴情報の表示を行うことができ、火災検出装置１０の汚損が進行した経緯を管理者が把握しやすくなる。
【００６７】
図７に戻り、ＳＣ３において制御装置５０の表示制御部５７ｃは、後述する汚損タイミングを表示する表示タイミング（以下、「第２表示タイミング」と称する）が到来したか否かを判定する。この第２表示タイミングが到来したか否かの判定方法については任意であるが、例えば、所定時間内に操作部５１を介して所定操作が受け付けられたか否かに基づいて判定したり、あるいは、所定周期（一例として、半年や１年等）が経過したか否かに基づいて判定する（なお、後述するＳＣ６の処理についても同様とする）。ここで、上記所定操作が受け付けられた場合又は上記所定周期が経過した場合には第２表示タイミングが到来したと判定し、上記所定操作が受け付けられなかった場合及び上記所定周期が経過していない場合には第２表示タイミングが到来していないと判定する。そして、制御装置５０の表示制御部５７ｃは、第２表示タイミングが到来したと判定された場合（ＳＣ３、Ｙｅｓ）にはＳＣ４に移行し、第２表示タイミングが到来していないと判定された場合（ＳＣ３、Ｎｏ）にはＳＣ６に移行する。
【００６８】
ＳＣ４において制御装置５０の推定部５７ｆは、履歴ＤＢ５８ａに記録された汚損度履歴情報に基づいて、所定方法で特定された火災検出装置１０の汚損度が閾値以上になるタイミング（以下、「汚損タイミング」と称する）を推定する。
【００６９】
この汚損タイミングの推定方法については任意であるが、例えば、以下の通りに推定してもよい。すなわち、まず、管理者が操作部５１を介して所定操作を行うことで、履歴ＤＢ５８ａに記録された汚損度履歴情報の中から推定すべき火災検出装置１０に対応する汚損度履歴情報を抽出する。次に、上記抽出した汚損度履歴情報に含まれる記録年月日情報、記録時刻情報、及び汚損度情報に基づいて、所定時間毎の汚損度の変化率をそれぞれ算出し、当該算出した変化率の平均値を算出する（より具体的には、汚損度の変化率のうちマイナス値を示すものは除去してから当該平均値を算出する）。次に、上記抽出した汚損度履歴情報に含まれる汚損度情報のうち直近に記録された汚損度情報を抽出する。そして、上記閾値から当該抽出した汚損度情報の汚損度を減算した値から上記算出した変化率の平均値を除算し、当該除算した値を推定すべき汚損タイミングとして推定する。
【００７０】
ＳＣ５において制御装置５０の表示制御部５７ｃは、ＳＣ４にて推定された汚損タイミングと、当該汚損タイミングに対応する火災検出装置識別情報とを相互に関連付けて表示部５４に表示させる。ここで、汚損タイミング及び火災検出装置識別情報の表示方法については任意であるが、例えば、表示部５４の画面上に表示された図示しない表示領域（以下、「推定表示領域」と称する）を生成し、当該生成した推定表示領域に、汚損タイミングを示す情報及び火災検出装置識別情報を相互に隣接して表示させてもよい。
【００７１】
このようなＳＣ４、ＳＣ５の処理により、特定の火災検出装置１０の汚損タイミングを提示でき、例えば、特定の火災検出装置１０の汚損度が閾値以上になる前に当該火災検出装置１０に対して管理者が清掃に関する措置等を講じることが可能になる。
【００７２】
ＳＣ６において制御装置５０の表示制御部５７ｃは、後述するゼロ回数を表示する表示タイミング（以下、「第３表示タイミング」と称する）が到来したか否かを判定する。そして、制御装置５０の表示制御部５７ｃは、第３表示タイミングが到来したと判定された場合（ＳＣ６、Ｙｅｓ）にはＳＣ７に移行し、第３表示タイミングが到来していないと判定された場合（ＳＣ６、Ｎｏ）には表示処理を終了して、図５の制御処理に戻る。
【００７３】
図７に戻り、ＳＣ７において制御装置５０の特定部５７ｇは、履歴ＤＢ５８ａに記録された汚損度履歴情報に基づいて、複数の火災検出装置１０の各々の汚損度がゼロ値になった回数（以下、「ゼロ回数」と称する）を特定する。
【００７４】
このゼロ回数の特定方法については任意であるが、例えば、以下の通りに特定してもよい。すなわち、まず、履歴ＤＢ５８ａに記録された汚損度履歴情報に含まれる汚損度情報の中から、ゼロ値を示す汚損度情報を火災検出装置識別情報毎に抽出する。そして、上記抽出したゼロ値を示す汚損度情報の総数を火災検出装置識別情報毎に算出し、当該算出した総数を特定すべきゼロ回数として特定する。
【００７５】
ＳＣ８において制御装置５０の表示制御部５７ｃは、ＳＣ７にて特定されたゼロ回数と、当該ゼロ回数に対応する火災検出装置識別情報とを相互に関連付けて表示部５４に表示させ、その後表示処理を終了して、図５の制御処理に戻る。ここで、ゼロ回数及び火災検出装置識別情報の表示方法については任意であるが、例えば、表示部５４の画面上に表示された図示しない表示領域（以下、「特定表示領域」と称する）を生成し、当該生成した特定表示領域に、ゼロ回数を示す情報及び火災検出装置識別情報を相互に隣接して表示させ、且つ表形式で表示してもよい。
【００７６】
このようなＳＣ７、ＳＣ８の処理により、各火災検出装置１０のゼロ回数を提示でき、例えばゼロ回数が比較的多い火災検出装置１０に対して管理者が所定の措置（例えば、火災検出装置１０の交換サイクルを短くすること等）を講じることが可能になる。
【００７７】
（制御処理−記録処理）
次いで、図５のＳＡ７の記録処理について説明する。図８は、記録処理のフローチャートである。記録処理は、履歴ＤＢ５８ａに記録された汚損度履歴情報を外部装置に記録する処理である。
【００７８】
記録処理が起動されると、図８に示すように、ＳＤ１において制御装置５０の記録指定部５７ｅは、汚損度履歴情報の記録パターンの指定が受け付けられたか否かを判定する。ここで、「汚損度履歴情報の記録パターン」とは、汚損度履歴情報を記録する形式を意味する。この汚損度履歴情報の記録パターンの種別は、実施の形態では、汚損度の記録順、汚損度の高い順若しくは低い順、汚損度の変化量のうち直近の変化量が大きい順若しくは低い順、及び、火災検出装置識別情報の文字順に並べて記録する第１記録パターンと、記憶部５８に記録された汚損度履歴情報のうち、所定方法（例えば操作部５１による操作等）で選択された汚損度履歴情報のみ、及び閾値以上若しくは閾値未満の汚損度に対応する汚損度履歴情報のみを記録する第２記録パターンとを含むものとして説明する。
【００７９】
また、この記録パターンを指定したか否かの判定方法については任意であるが、例えば、表示部５４の画面上に表示された図示しない表示領域（以下、「記録パターン表示領域」と称する）を生成し、当該生成した記録パターン表示領域に表示された情報であって上記汚損度履歴情報の記録パターンを示す情報の中からいずれか１つが操作部５１を介して選択されたか否かに基づいて判定し、上記選択がされていない場合には記録パターンの指定が受け付けられていないと判定し、上記選択がされた場合には記録パターンの指定が受け付けられたと判定してもよい。そして、制御装置５０の記録指定部５７ｅは、記録パターンの指定が受け付けられるまで待機し（ＳＤ１、Ｎｏ）、記録パターンの指定が受け付けられたと判定された場合（ＳＤ１、Ｙｅｓ）には、当該受け付けられた記録パターンを指定した後に、ＳＤ２に移行する。
【００８０】
ＳＤ２において制御装置５０の記録制御部５７ｂは、ＳＤ１にて指定された記録パターンで、履歴ＤＢ５８ａに記録された汚損度履歴情報を外部装置に記録させる。この汚損度履歴情報の記録方法については任意であるが、例えば、汚損度履歴情報を記録するためのファイル（以下、「第１記録ファイル」と称する）を作成し、当該作成した第１記録ファイルに汚損度履歴情報をＳＤ１にて指定された記録パターンで記録した後、この第１記録ファイルを出力部５５によって外部装置に出力させることにより記録する。一例として、ＳＤ１にて記録パターン＝汚損度の記録順に並べて記録するパターンが指定された場合には、図４に示すような記録パターンで汚損度履歴情報が外部装置に記録される。
【００８１】
このようなＳＤ１、ＳＤ２の処理により、汚損度履歴情報を外部装置に対して提供でき、例えば管理システム１外の処理装置を用いて汚損度履歴情報の詳細な分析処理を容易に行うことができる。よって、管理システム１の使用における管理者の利便性を向上させることが可能となる。また、記録指定部５７ｅにて指定された記録パターンで汚損度履歴情報を記録できるので、管理者のニーズに応じた記録パターンで汚損度履歴情報を外部装置に対して提供でき、例えば管理システム１外の処理装置において汚損度履歴情報の記録パターンを変更する手間を省略できる。
【００８２】
図８に戻り、ＳＤ３において制御装置５０の記録制御部５７ｂは、後述する汚損タイミングを記録する記録タイミング（以下、「第３記録タイミング」と称する）が到来したか否かを判定する。この第３記録タイミングが到来したか否かの判定方法については任意であるが、例えば、所定時間内に操作部５１を介して所定操作が受け付けられたか否かに基づいて判定してもよい（なお、後述するＳＤ６の処理についても同様とする）。ここで、上記所定操作が受け付けられた場合には第３記録タイミングが到来したと判定し、上記所定操作が受け付けられなかった場合には第３記録タイミングが到来していないと判定する。そして、制御装置５０の記録制御部５７ｂは、第３記録タイミングが到来したと判定された場合（ＳＤ３、Ｙｅｓ）にはＳＤ４に移行し、第３記録タイミングが到来していないと判定された場合（ＳＤ３、Ｎｏ）にはＳＤ６に移行する。
【００８３】
ＳＤ４において制御装置５０の推定部５７ｆは、履歴ＤＢ５８ａに記録された汚損度履歴情報に基づいて、汚損タイミングを推定する。この汚損タイミングの推定方法については任意であるが、例えば、記録処理の直前に行われた表示処理のＳＣ４にて汚損タイミングが推定されている場合には、当該汚損タイミングを推定すべき汚損タイミングとして推定してもよい。一方、記録処理の直前に行われた表示処理にてＳＣ４の処理が行われてない場合、又は記録処理の直前に表示処理が行われなかった場合には、ＳＣ４と同様の方法で、汚損タイミングを推定してもよい。
【００８４】
ＳＤ５において制御装置５０の記録制御部５７ｂは、ＳＤ４にて推定された汚損タイミングと、当該汚損タイミングに対応する火災検出装置識別情報とを相互に関連付けて外部装置に記録させる。ここで、汚損タイミング及び火災検出装置識別情報の記録方法については任意であるが、例えば、汚損タイミング及び火災検出装置識別情報を記録するためのファイル（以下、「第２記録ファイル」と称する）を作成し、当該作成した第２記録ファイルに汚損タイミングを示す情報及び火災検出装置識別情報を記録した後、この第２記録ファイルを出力部５５によって外部装置に出力させることにより記録する。
【００８５】
このようなＳＤ４、ＳＤ５の処理により、特定の火災検出装置１０の汚損タイミングを外部装置に対して提供でき、例えば管理システム１外の処理装置において特定の火災検出装置１０の汚損タイミングを算出する手間を省略できる。
【００８６】
ＳＤ６において制御装置５０の記録制御部５７ｂは、ゼロ回数を記録する記録タイミング（以下、「第４記録タイミング」と称する）が到来したか否かを判定する。そして、制御装置５０の記録制御部５７ｂは、第４記録タイミングが到来したと判定された場合（ＳＤ６、Ｙｅｓ）にはＳＤ７に移行し、第４記録タイミングが到来していないと判定された場合（ＳＤ６、Ｎｏ）には記録処理を終了して、図５の制御処理に戻る。
【００８７】
図８に戻り、ＳＤ７において制御装置５０の特定部５７ｇは、履歴ＤＢ５８ａに記録された汚損度履歴情報に基づいて、複数の火災検出装置１０の各々のゼロ回数を特定する。このゼロ回数の特定方法については任意であるが、例えば、記録処理の直前に行われた表示処理のＳＣ７にてゼロ回数が特定されている場合には、当該ゼロ回数を特定すべきゼロ回数として特定してもよい。一方、記録処理の直前に行われた表示処理にてＳＣ７の処理が行われてない場合、又は記録処理の直前に表示処理が行われなかった場合には、ＳＣ７と同様の方法で、ゼロ回数を特定してもよい。
【００８８】
ＳＤ８において制御装置５０の記録制御部５７ｂは、ＳＤ７にて特定されたゼロ回数と、当該ゼロ回数に対応する火災検出装置識別情報とを相互に関連付けて外部装置に記録させ、その後記録処理を終了して、図５の制御処理に戻る。ここで、ゼロ回数及び火災検出装置識別情報の記録方法については任意であるが、例えば、ゼロ回数及び火災検出装置識別情報を記録するためのファイル（以下、「第３記録ファイル」と称する）を作成し、当該作成した第３記録ファイルにゼロ回数を示す情報及び火災検出装置識別情報を記録した後、この第３記録ファイルを出力部５５によって外部装置に出力させることにより記録する。
【００８９】
このようなＳＤ７、ＳＤ８の処理により、各火災検出装置１０のゼロ回数を外部装置に対して提供でき、例えば管理システム１外の処理装置において各火災検出装置１０のゼロ回数を算出する手間を省略できる。
【００９０】
（実施の形態の効果）
このように実施の形態によれば、制御装置５０が、第１記録タイミングが到来した場合に、検出部５７ａにて検出された汚損度を汚損度履歴情報として火災検出装置識別情報毎に当該制御装置５０の記憶部５８に記録する記録制御部５７ｂと、第１表示タイミングが到来した場合に、記憶部５８に記録された汚損度履歴情報を当該制御装置５０の表示部５４に表示させる表示制御部５７ｃと、を備えたので、従来技術（現状の減光率を示す情報のみを表示する技術）に比べて、汚損度履歴情報を提示できる。よって、火災検出装置１０の汚損が進行した経緯をユーザが簡易に把握でき、火災検出装置１０の管理性を向上させることが可能となる。
【００９１】
また、表示制御部５７ｃが、表示指定部５７ｄにて指定された表示パターンで、記憶部５８に記録された汚損度履歴情報を表示部５４に表示させるので、ユーザのニーズに応じた汚損度履歴情報の表示を行うことができ、火災検出装置１０の汚損が進行した経緯をユーザが把握しやすくなる。
【００９２】
また、表示指定部５７ｄにて指定される表示パターンが、記憶部５８に記録された汚損度履歴情報を、汚損度の記録順、汚損度の高い順若しくは低い順、汚損度の変化量のうち直近の変化量が大きい順若しくは低い順、又は、火災検出装置識別情報の文字順に並べて表示する第１表示パターン、あるいは、記憶部５８に記録された汚損度履歴情報のうち、所定方法で選択された汚損度履歴情報のみ、又は閾値以上若しくは閾値未満の汚損度に対応する汚損度履歴情報のみを表示する第２表示パターンを含むので、ユーザのニーズに応じた汚損度履歴情報の表示を一層行うことができ、火災検出装置１０の汚損が進行した経緯をユーザが一層把握しやすくなる。
【００９３】
また、表示制御部５７ｃが、第２表示タイミングが到来した場合に、推定部５７ｆにて推定された汚損タイミングと、当該汚損タイミングに対応する火災検出装置識別情報を相互に関連付けて表示部５４に表示させるので、特定の火災検出装置１０の汚損タイミングを提示でき、例えば、特定の火災検出装置１０の汚損度が閾値以上になる前に当該火災検出装置１０に対してユーザが清掃に関する措置等を講じることが可能になる。
【００９４】
また、表示制御部５７ｃが、第３表示タイミングが到来した場合に、特定部５７ｇにて特定されたゼロ回数と、当該ゼロ回数に対応する火災検出装置識別情報とを相互に関連付けて表示部５４に表示させるので、各火災検出装置１０のゼロ回数を提示でき、例えばゼロ回数が比較的多い火災検出装置１０に対してユーザが所定の措置（例えば、火災検出装置１０の交換サイクルを短くすること等）を講じることが可能になる。
【００９５】
また、制御装置５０が、複数の火災検出装置１０からの出力に基づいて防災処理を行う防災受信機であるので、制御装置５０及び防災受信機の両方を設ける必要がなくなることから、管理システム１の設置コストを低減できる。
【００９６】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９７】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００９８】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。また、本出願における「装置」とは、単一の装置によって構成されたものに限定されず、複数の装置によって構成されたものを含む。例えば、制御装置５０を、相互に通信可能に構成された複数の装置に分散して構成し、これら複数の装置の一部に制御部５７を設けると共に、これら複数の装置の他の一部に記憶部５８を設けてもよい。
【００９９】
（汚損度履歴情報の表示パターンについて）
上記実施の形態では、汚損度履歴情報の表示パターンの種別が、第１表示パターンと、第２表示パターンとを含むとして説明したが、これに限らず、例えば、第１表示パターン又は第２表示パターンのいずれか一方のみを含んでもよい。
【０１００】
また、上記実施の形態では、第１表示パターンが、汚損度の記録順、汚損度の高い順若しくは低い順、汚損度の変化量のうち直近の変化量が大きい順若しくは低い順、及び、火災検出装置識別情報の文字順に並べて表示するパターンを含むと説明したが、これに限らない。例えば、汚損度の記録順、汚損度の高い順若しくは低い順、汚損度の変化量のうち直近の変化量が大きい順若しくは低い順、又は、火災検出装置識別情報の文字順に並べて表示するパターンのいずれかのみを含んでもよい。
【０１０１】
また、上記実施の形態では、第２表示パターンが、記憶部５８に記録された汚損度履歴情報のうち、所定方法で選択された汚損度履歴情報のみ、及び閾値以上若しくは閾値未満の汚損度に対応する汚損度履歴情報のみを表示するパターンを含むと説明したが、これに限らない。例えば、上記所定方法で選択された汚損度履歴情報のみ、又は上記閾値以上若しくは閾値未満の汚損度に対応する汚損度履歴情報のみを表示するパターンのいずれかのみを含んでもよい。
【０１０２】
（汚損度履歴情報の記録パターンについて）
上記実施の形態では、汚損度履歴情報の記録パターンの種別が、第１記録パターンと、第２記録パターンとを含むとして説明したが、これに限らず、例えば、第１記録パターン又は第２記録パターンのいずれか一方のみを含んでもよい。
【０１０３】
また、上記実施の形態では、第１記録パターンが、汚損度の記録順、汚損度の高い順若しくは低い順、汚損度の変化量のうち直近の変化量が大きい順若しくは低い順、及び、火災検出装置識別情報の文字順に並べて記録するパターンを含むと説明したが、これに限らない。例えば、汚損度の記録順、汚損度の高い順若しくは低い順、汚損度の変化量のうち直近の変化量が大きい順若しくは低い順、又は、火災検出装置識別情報の文字順に並べて記録するパターンのいずれかのみを含んでもよい。
【０１０４】
また、上記実施の形態では、第２記録パターンが、記憶部５８に記録された汚損度履歴情報のうち、所定方法で選択された汚損度履歴情報のみ、及び閾値以上若しくは閾値未満の汚損度に対応する汚損度履歴情報のみを記録するパターンを含むと説明したが、これに限らない。例えば、上記所定方法で選択された汚損度履歴情報のみ、又は上記閾値以上若しくは閾値未満の汚損度に対応する汚損度履歴情報のみを記録するパターンのいずれかのみを含んでもよい。
【０１０５】
（制御装置について）
上記実施の形態では、制御装置５０が、検出部５７ａを備えていると説明したが、これに限らない。例えば、制御装置５０の検出部５７ａを省略して、火災検出装置１０が検出部５７ａを備えてもよい。この場合には、ＳＢ２において汚損度を示す情報が火災検出装置１０から取得されたか否かを判定し、ＳＢ３の処理を省略し、ＳＢ４においてＳＢ２にて取得された汚損度を示す情報が履歴ＤＢ５８ａに記録されてもよい。
もよい。
【０１０６】
また、上記実施の形態では、制御装置５０が、表示指定部５７ｄを備えていると説明したが、これに限らず、表示指定部５７ｄを省略してもよい。この場合には、表示処理のＳＣ１の処理を省略してもよい。
【０１０７】
また、上記実施の形態では、制御装置５０が、記録指定部５７ｅを備えていると説明したが、これに限らず、表示指定部５７ｄを省略してもよい。この場合には、記録処理のＳＤ１の処理を省略してもよい。
【０１０８】
また、上記実施の形態では、制御装置５０が、推定部５７ｆを備えていると説明したが、これに限らず、推定部５７ｆを省略してもよい。この場合には、表示処理のＳＣ３からＳＣ５の処理、及び記録処理のＳＤ３からＳＤ５の処理を省略してもよい。
【０１０９】
また、上記実施の形態では、制御装置５０が、特定部５７ｇを備えていると説明したが、これに限らず、特定部５７ｇを省略してもよい。この場合には、表示処理のＳＣ６からＳＣ８の処理、及び記録処理のＳＤ６からＳＤ８の処理を省略してもよい。
【０１１０】
（制御処理について）
上記実施の形態では、ＳＡ６、ＳＡ７の処理が行われていると説明したが、これに限らず、例えば、ＳＡ６、ＳＡ７を省略してもよい。
【０１１１】
また、上記実施の形態では、ＳＣ５において、ＳＣ４にて推定された汚損タイミングを示す情報が、表示部５４によって表示（報知）されると説明したが、これに限らない。例えば、汚損タイミングを示す情報は、表示部５４以外の報知手段（一例として、公知の音声出力手段）によって報知されてもよく、あるいは、表示部５４と上記報知手段の両方によって報知されてもよい（なお、ＳＣ８の処理についても同様とする）。
【０１１２】
（表示処理について）
上記実施の形態では、制御装置５０の表示制御部５７ｃによって、汚損度履歴情報、汚損タイミングを示す情報、及びゼロ回数を示す情報が表示部５４に表示されると説明したが、これに限らず、これらの情報に加えて、他の情報が表示されてもよい。例えば、制御装置５０が、履歴ＤＢ５８ａに記録された汚損度履歴情報に基づいて、複数の火災検出装置１０のいずれかに異常（具体的に、火災検出装置１０の故障や障害等）が発生している可能性があるか否かを判定する判定手段を備えてよい。そして、上記判定手段にて判定手段にて上記異常が発生している可能性があると判定された場合には、制御装置５０の表示制御部５７ｃによって、その旨を報知するための情報が表示部５４に表示されてもよい（あるいは、当該情報に加えて、対応する火災検出装置１０の発光部２０、受光部３０、又は通信部を確認する旨の情報も表示されてもよい）。ここで、上記異常が発生している可能性があるか否かを判定する方法については任意であるが、例えば、各火災検出装置１０の汚損度履歴情報に基づいて、汚損度がゼロ値になってから閾値以上となる変動サイクルの周期が所定値よりも短いか否かに基づいて判定し、又は所定期間内の汚損度の変動量が所定値よりも小さいか否かに基づいて判定する。そして、上記変動サイクルの周期が所定値よりも短い場合又は上記変動量が所定値よりも小さい場合には上記異常が発生している可能性があると判定し、上記変動サイクルの周期が所定値よりも短くない場合及び上記変動量が所定値よりも小さくない場合には上記異常が発生している可能性がないと判定する。このような処理により、複数の火災検出装置のいずれかに異常が発生している可能性がある旨を提示でき、例えば、異常が発生している可能性がある火災検出装置に対してユーザが所定の措置（例えば、火災検出装置の確認等）を講じることが可能になる。なお、この場合において、例えば、操作部５１を介して所定操作が受け付けられた場合には、制御装置５０の表示制御部５７ｃによって、上記変動サイクルの繰り返し回数が特定された後、当該特定された繰り返し回数の高い順又は低い順に、履歴ＤＢ５８ａに記録された汚損度履歴情報が表示部５４に表示されてもよい。
【０１１３】
（付記）
付記１の管理システムは、監視領域の火災を検出する複数の火災検出装置と、前記複数の火災検出装置の各々と通信可能に接続された制御装置と、を備えた管理システムであって、前記複数の火災検出装置の各々又は前記制御装置は、前記火災検出装置の汚損度を検出する検出手段を備え、前記制御装置は、前記汚損度を記録する記録タイミングが到来した場合に、前記検出手段にて検出された前記汚損度を汚損度履歴情報として前記火災検出装置の識別情報毎に当該制御装置の記憶手段に記録する記録制御手段と、前記汚損度履歴情報を表示する第１表示タイミングが到来した場合に、前記記憶手段に記録された前記汚損度履歴情報を当該制御装置の表示手段に表示させる表示制御手段と、を備えた。
【０１１４】
また、付記２の管理システムは、付記１に記載の管理システムにおいて、前記汚損度履歴情報の表示パターンを指定する表示指定手段を備え、前記表示制御手段は、前記表示指定手段にて指定された前記表示パターンで、前記記憶手段に記録された前記汚損度履歴情報を前記表示手段に表示させる。
【０１１５】
また、付記３の管理システムは、付記２に記載の管理システムにおいて、前記表示指定手段にて指定される前記表示パターンは、前記記憶手段に記録された前記汚損度履歴情報を、前記汚損度の記録順、前記汚損度の高い順若しくは低い順、前記汚損度の変化量のうち直近の変化量が大きい順若しくは低い順、又は、前記火災検出装置の識別情報の文字順に並べて表示する第１表示パターン、あるいは、前記記憶手段に記録された前記汚損度履歴情報のうち、所定方法で選択された前記汚損度履歴情報のみ、又は閾値以上若しくは閾値未満の汚損度に対応する前記汚損度履歴情報のみを表示する第２表示パターンを含む。
【０１１６】
また、付記４の管理システムは、付記１から３のいずれか一項に記載の管理システムにおいて、前記記憶手段に記録された前記汚損度履歴情報に基づいて、所定方法で特定された前記火災検出装置の前記汚損度が閾値以上になる汚損タイミングを推定する推定手段を備え、前記表示制御手段は、前記汚損タイミングを表示する第２表示タイミングが到来した場合に、前記推定手段にて推定された前記汚損タイミングと、当該汚損タイミングに対応する前記火災検出装置の識別情報を相互に関連付けて前記表示手段に表示させる。
【０１１７】
また、付記５の管理システムは、付記１から４のいずれか一項に記載の管理システムにおいて、前記記憶手段に記録された前記汚損度履歴情報に基づいて、前記複数の火災検出装置の各々の汚損度がゼロ値になった回数であるゼロ回数を特定する特定手段を備え、前記表示制御手段は、前記ゼロ回数を表示する第３表示タイミングが到来した場合に、前記特定手段にて特定された前記ゼロ回数と、当該ゼロ回数に対応する前記火災検出装置の識別情報とを相互に関連付けて前記表示手段に表示させる。
【０１１８】
また、付記６の管理システムは、付記１から５のいずれか一項に記載の管理システムにおいて、前記記憶手段に記録された前記汚損度履歴情報に基づいて、前記複数の前記火災検出装置のいずれかに異常が発生している可能性があるか否かを判定する判定手段を備え、前記表示制御手段は、前記判定手段にて前記異常が発生している可能性があると判定された場合に、その旨を報知するための情報を前記表示手段に表示させる。
【０１１９】
また、付記７の管理システムは、付記１から６のいずれか一項に記載の管理システムにおいて、前記制御装置は、前記複数の火災検出装置からの出力に基づいて防災処理を行う防災受信機である。
【０１２０】
（付記の効果）
付記１に記載の管理システムによれば、制御装置が、記録タイミングが到来した場合に、検出手段にて検出された汚損度を汚損度履歴情報として火災検出装置の識別情報毎に当該制御装置の記憶手段に記録する記録制御手段と、第１表示タイミングが到来した場合に、記憶手段に記録された汚損度履歴情報を当該制御装置の表示手段に表示させる表示制御手段と、を備えたので、従来技術（現状の減光率を示す情報のみを表示する技術）に比べて、汚損度履歴情報を提示できる。よって、火災検出装置の汚損が進行した経緯をユーザが簡易に把握でき、火災検出装置の管理性を向上させることが可能となる。
【０１２１】
付記２に記載の管理システムによれば、表示制御手段が、表示指定手段にて指定された表示パターンで、記憶手段に記録された汚損度履歴情報を表示手段に表示させるので、ユーザのニーズに応じた汚損度履歴情報の表示を行うことができ、火災検出装置の汚損が進行した経緯をユーザが把握しやすくなる。
【０１２２】
付記３に記載の管理システムによれば、表示指定手段にて指定される表示パターンが、記憶手段に記録された汚損度履歴情報を、汚損度の記録順、汚損度の高い順若しくは低い順、汚損度の変化量のうち直近の変化量が大きい順若しくは低い順、又は、火災検出装置の識別情報の文字順に並べて表示する第１表示パターン、あるいは、記憶手段に記録された汚損度履歴情報のうち、所定方法で選択された汚損度履歴情報のみ、又は閾値以上若しくは閾値未満の汚損度に対応する汚損度履歴情報のみを表示する第２表示パターンを含むので、ユーザのニーズに応じた汚損度履歴情報の表示を一層行うことができ、火災検出装置の汚損が進行した経緯をユーザが一層把握しやすくなる。
【０１２３】
付記４に記載の管理システムによれば、表示制御手段が、第２表示タイミングが到来した場合に、推定手段にて推定された汚損タイミングと、当該汚損タイミングに対応する火災検出装置の識別情報を相互に関連付けて表示手段に表示させるので、特定の火災検出装置の汚損タイミングを提示でき、例えば、特定の火災検出装置の汚損度が閾値以上になる前に当該火災検出装置に対してユーザが清掃に関する措置等を講じることが可能になる。
【０１２４】
付記５に記載の管理システムによれば、表示制御手段が、第３表示タイミングが到来した場合に、特定手段にて特定されたゼロ回数と、当該ゼロ回数に対応する火災検出装置の識別情報とを相互に関連付けて表示手段に表示させるので、各火災検出装置のゼロ回数を提示でき、例えばゼロ回数が比較的多い火災検出装置に対してユーザが所定の措置（例えば、火災検出装置の交換サイクルを短くすること等）を講じることが可能になる。
【０１２５】
付記６に記載の管理システムによれば、表示制御手段が、判定手段にて複数の火災検出装置のいずれかに異常が発生している可能性があると判定された場合に、その旨を報知するための情報を表示手段に表示させるので、複数の火災検出装置のいずれかに異常が発生している可能性がある旨を提示でき、例えば、異常が発生している可能性がある火災検出装置に対してユーザが所定の措置（例えば、火災検出装置の確認等）を講じることが可能になる。
【０１２６】
付記７に記載の管理システムによれば、制御装置が、複数の火災検出装置からの出力に基づいて防災処理を行う防災受信機であるので、制御装置及び防災受信機の両方を設ける必要がなくなることから、管理システムの設置コストを低減できる。
【符号の説明】
【０１２７】
１  管理システム
２  構造物
３  配線
１０  火災検出装置
１１  受光窓
２０  発光部
３０  受光部
４０  制御ユニット
５０  制御装置
５１  操作部
５２  通信部
５３  移報信号送信部
５４  表示部
５５  出力部
５６  電源部
５７  制御部
５７ａ  検出部
５７ｂ  記録制御部
５７ｃ  表示制御部
５７ｄ  表示指定部
５７ｅ  記録指定部
５７ｆ  推定部
５７ｇ  特定部
５８  記憶部
５８ａ  履歴ＤＢ
【図１】
2019174965.tif 000003
【図２】
2019174965.tif 000004
【図３】
2019174965.tif 000005
【図４】
2019174965.tif 000006
【図５】
2019174965.tif 000007
【図６】
2019174965.tif 000008
【図７】
2019174965.tif 000009
【図８】
2019174965.tif 000010